(57)【要約】      （修正有）【課題】サンプルの詳細な分析のために、有用な広帯域の放射線をもつスペクトロメータを提供する。【解決手段】スペクトロメータは、電磁放射線３を放射する放射源２と、前記電磁放射線３に基づいて単色放射線を選択するように構成された選択装置５と、前記放射源２により放射された前記電磁放射線３の波長に対応したフォーカス位置を定めるように構成され、且つ、前記選択装置の入力に対して前記フォーカス位置を動かすように構成されたフォーカス装置４と、前記単色放射線１２を受光するためのサンプル７を収容するベッセル６と、前記サンプル７によって透過され又は放射された放射線を分析する分析器８と、を備える。【選択図】図１
2013171046.tif 000002
【特許請求の範囲】
【請求項１】
−  電磁放射線（３）を放射する放射源（２）と、
−  前記電磁放射線（３）に基づいて単色放射線を選択するように構成された選択装置（５）と、
を備えるスペクトロメータであって、
−  前記放射源（２）により放射された前記電磁放射線（３）の波長に対応したフォーカス位置を定めるように構成され、且つ、前記選択装置の入力に対して前記フォーカス位置を動かすように構成されたフォーカス装置（４）と、
−  前記単色放射線（１２）を受光するためのサンプル（７）を収容するベッセル（６）と、
−  前記サンプルにより透過され又は放射された放射線を分析する分析器（８）と、
を備えることを特徴とするスペクトロメータ。
【請求項２】
前記放射源（２）は、紫外線から近赤外線までに及ぶ複数の波長を放射するように構成されている、ことを特徴とする請求項１に記載のスペクトロメータ。
【請求項３】
前記選択装置（５）は、前記フォーカス位置になるように構成された入射スリット（１０）を備え、前記フォーカス装置（４）は、少なくとも１つのレンズ（１９）と、前記放射源により放射された電磁放射線の波長（λ１、λ２）に対応するフォーカス距離（ｆ´１、ｆ´２）が前記入射スリット（１０）と一致するように、少なくとも１つのレンズ（１９）を動かすように構成されたモータ駆動装置（２４）と、を備える、ことを特徴とする請求項１又は２に記載のスペクトロメータ。
【請求項４】
波長（λ１、λ２）を持つ電磁放射線（２２、２３）を前記入射スリットにフォーカスするための前記フォーカス装置（４）を制御するように構成され、且つ、前記フォーカス装置（４）によりフォーカスされた前記電磁放射線（２２、２３）の前記波長（λ１、λ２）と等しい波長を持つ単色放射線（１２）を選択するための前記選択装置（５）を制御するように構成された、制御装置（１６）をさらに備える、ことを特徴とする請求項３に記載のスペクトロメータ。
【発明の詳細な説明】
【技術分野】
【０００１】
本開示は、スペクトロメータに関するものであり、詳細には、近赤外線（close infrared radiation）の波長から紫外線(ultraviolet radiation)の波長の間に及ぶ複数の波長を有する多色電磁放射線（polychromatic electromagnetic radiation）を用いるスペクトロメータに関する。
【背景技術】
【０００２】
スペクトロメータは、所望の波長を有する放射線（radiation）を受光した際に、サンプルにより透過された（transmit）又は放射された放射線の性質に対する分析に基づき、サンプルの成分又は物理的性質を決定することができる装置である。透過した放射線は、吸収することのないサンプルにより受光された放射線の一部と対応する。ここでは、放射された放射線は、反射又は蛍光発光（fluorescence）により放射された放射線を示す。例えば、スペクトロメータは、サンプルの吸収度（吸収能）、円偏光二色性（circular dichroism）、又は、蛍光発光を調べることができる。
【０００３】
一般的には、スペクトロメータは、例えば、紫外線ランプ、又は、可視領域又は近赤外領域の放射線を放射するランプといった、サンプルの異なる性質を調査するために十分な広帯域（wide spectrum）をカバーする多色電磁放射線を放射する放射源（source）を備える。スペクトロメータは、単色放射線（monochromatic radiation）をサンプルに照射するため特定の波長の電磁放射線を選択するために、波長選択システム（例えば、回折格子、又は、プリズムモノクロメータ）も備える。一般的には、スペクトロメータは、最大エネルギーを有する放射線を得るために、放射源により放射された電磁放射線をフォーカスさせるための光学的システムをさらに備える。放射源から放射された放射線をフォーカスさせることは、サンプルへと透過する放射線の量を改善することを可能にし、その分析を改善する。
【０００４】
従来、光学的システムは、モノクロメータの入射スリット（entrance slit）に、放射源により放射された放射線に対してアクロマティックなフォーカス（achromatically focus）を行う、すなわち、放射された放射線のすべての波長をフォーカスするのである。このようなシステムの欠点は、放射された放射線の無用な波長はモノクロメータを妨害し、その寿命を減少させ、そのパフォーマンスに悪影響を与えることである。
【０００５】
フォーカス手段は、例えば紫外から近赤外までの広帯域波長を用いるスペクトロメータに特に適応した楕円鏡（elliptic mirror）を備えることができる。しかしながら、鏡のコーティングは、酸化条件に対する耐性が弱く、且つ、無酸素で使用することを必要とすることから、このような鏡は壊れやすい。実際、放射源により放射された紫外線は酸素と反応してオゾンを生成し、かなりの程度に酸化させ、鏡のコーティングに急激にダメージを与える。従って、紫外線を使用するスペクトロメータは、このような楕円鏡を、窒素又はアルゴンタイプの不活性ガスによる閉じ込め（confinement）、又は、真空中に保護することが確実に必要となる。
【０００６】
フォーカス手段は、１つ又は数個のガラス又は石英のレンズを備えることができる。しかしながら、放射源により放射された放射線の波長に応じて、詳細には、紫外線の波長に応じて、これらのレンズはそれぞれ異なる屈折率（refraction index）を有する。従って、レンズは、限定されたスペクトル（帯域）を持つスペクトロメータ用のものであり、例えば、可視又は近赤外領域のスペクトロメータは紫外線用スペクトロメータとしては用いられることがない。
【発明の概要】
【発明が解決しようとする課題】
【０００７】
本発明の目的は、これらの欠点を克服することを備え、さらに詳細には、サンプルの詳細な分析のために、有用な広帯域の放射線を持つスペクトロメータを提供することを備える。
【０００８】
本発明の他の目的は、シンプルに使用でき、且つ、紫外線を用いて効果的に動作するスペクトロメータを提供することを備える。
【０００９】
本発明の1つの形態は、電磁放射線を放射する放射源と、放射源により放射された放射線をフォーカスするフォーカス手段と、フォーカスされた放射線に基づき単色放射線を選択する選択手段と、単色放射線を受光するためのサンプルを収容するベッセルと、サンプルにより透過された又は放射された放射線を分析する分析器とを備えるスペクトロメータであって、このフォーカス手段は、放射された放射線の所望の波長に対応するように少なくとも１つの可変フォーカス（variable focusing）を有する、ことを特徴とするスペクトロメータを提供する。
【００１０】
従って、選択手段の出力で良質な単色放射線を得るために、所望の波長を有する放射線のエネルギーを増加させる。サンプル特性の分析において良好な精度を有するスペクトロメータが得られる。
【００１１】
放射された電磁放射線の波長は、紫外線の波長から近赤外線の波長の間に及ぶものとすることができる。
【００１２】
選択手段は、フォーカスされた放射線を受光するように構成された入射スリットを備えることができ、フォーカス手段は、１つ又は複数のレンズと、放射された放射線の所望の波長に対応するフォーカス距離（focal distance）を入射スリットに一致させるように１つ又は複数のレンズを動かすことができるモータ駆動手段（motor-driven means）とを備える。
【００１３】
従って、選択手段の入射スリットに与えられる波長を持つ放射線の正確なフォーカスを行うために、モノクロメータ、ベッセル及び分析器のすべての電動化（motorize）の必要はなくなる。実際には、サンプルにより透過された又は放射された放射線の正確な分析のために、波長選択手段はサンプルと分析器とに対して固定された位置をとる必要がある。さらに、オゾン腐食に対して無反応な従来のレンズを使用することは、紫外線放射源を使用しながらも、不活性ガスの閉じ込めの使用を避けることができる。有利には、スペクトロメータのパフォーマンスは、有用な波長を、すなわち、選択手段の出力において放射された電磁波の波長と等しい波長をもつ単色放射線をフォーカスすることにより改善される。有用な波長と異なる波長を持つ他の電磁波は収束されず、言い換えると、選択手段の入射スリットの前又は後ろでフォーカスされ、選択手段の内部コンポーネントに対する必要のない照射を避ける。
【００１４】
スペクトロメータは、所望の波長をもつ放射線を入射スリットへフォーカスさせるフォーカス手段を制御し、且つ、この所望の波長と等しい波長を有する単色放射線を選択する選択手段を制御する制御手段をさらに備えることができる。
【００１５】
従って、所望の波長を有する放射線をフォーカスさせることは、この所望の波長を選択する選択手段と同期させることができる。
【図面の簡単な説明】
【００１６】
【図１】図1は、本発明によるスペクトロメータを概略的に示す。
【発明を実施するための形態】
【００１７】
本発明の他の特徴及び利点は以下の明細書において説明され、添付の図面に対応する特有の実施形態の説明は本発明を限定するものではない。
【００１８】
図１は、電磁放射線３を放射する放射源２を備えるスペクトロメータ１を示す。スペクトロメータ１は、フォーカス手段４と、波長選択手段５と、分析されるサンプル７を収容するベッセル６と、サンプル７の物理的性質を分析するための分析器８とをさらに備える。
【００１９】
放射源２は、紫外から近赤外までの広帯域の多色放射線の放射源であり、もしくは、可視領域までに限定された放射線を持つさらに限定された帯域のランプである。例えば、放射源２は、１７０ｎｍから１，０００ｎｍの間に及ぶ複数の波長を持つ放射線を放射するキセノンランプ、もしくは、４００ｎｍから約２，０００ｎｍまでに限定される近赤外までの間に及ぶ複数の波長を持つ放射線を放射するハロゲンランプ、もしくは、１６０ｎｍから４００ｎｍの間に及ぶ複数の波長を持つ重水素（deuterium）ランプであることができる。
【００２０】
選択手段５の最適な動作のために放射線の最大エネルギーを得るために、フォーカス手段４は放射された放射線３をフォーカスし、フォーカスされた放射線９を選択手段５の入射スリット１０へ伝達する。
【００２１】
選択手段５は、所望の波長を選択することができ、射出スリット（exit slit）１１に伝達し、単色放射線１２はサンプル７へと向かう。選択手段５は、例えば、フォーカスされた放射線９を受光し、且つ、射出スリット１１を介して単色放射線１２を放射するプリズム１３又は回折格子を備える。プリズム又は回折格子１３はモータ１４を用いて方向を合わせることができ、所望の波長を持つ単色放射線１２を射出スリット１１において放射する。
【００２２】
サンプル７は単色放射線１２を受光し、サンプルの物理的性質に応じて透過され又は放射された電磁波に対応する電磁波１５を分析器８に向かって放射する。
【００２３】
さらに、スぺクトロメータ１は、接続１７を介してプリズム１３又は回折格子のモータ１４を制御する制御手段１６を備える。制御手段１６は、接続１８を介してフォーカス手段４を制御するようにさらに構成されている。
【００２４】
好ましい実施形態によれば、フォーカス手段は、主軸２０と光学中心Ｏと光学軸２１とを有するレンズ１９を備える。レンズ１９は、従来からのレンズであり、好ましくは収束レンズである。さらに、レンズは、放射された電磁放射線３の異なる複数の波長λｉにそれぞれ対応する異なる屈折率ｎｉを備える。図１は、レンズ１９と、単純化のために２つの異なる屈折率ｎ１及びｎ２に対応する光学的経路とを示す。図１は、第１のフォーカス距離ｆ´１における第１のフォーカス位置（focal point）Ｆ´１でフォーカスされ、且つ、第１の波長λ１を有する第１の放射線２２を示す。第２のフォーカス距離ｆ´２における第２のフォーカス位置Ｆ´２でフォーカスされ、且つ、第２の波長λ２を有する第２の放射線２２も示される。示された実施形態においては、第２の波長λ２は第１の波長λ１よりも大きい。
【００２５】
フォーカス手段４は、光学軸２１に沿って移動させることにより、入射スリット１０に対してレンズ１９を動かすモータ駆動手段２４をさらに備える。好ましい実施形態においては、レンズ１９の移動をガイドするルールは、波長に応じたレンズ１９の屈折率の変化の関数である。モータ駆動手段は、レンズ１９が固定的に搭載された支持体２７をシフトさせるためのスクリュー２６を駆動するモータ２５を備える。
【００２６】
サンプル７が、波長λ２を有する単色の電磁放射線１２により照射される場合には、この波長λ２を持つ単色線(monochromatic ray)１２を選択するために制御手段１６を用いて、プリズム又は回折格子１３の方向を合わせる（direct）。次いで、第２のフォーカス位置Ｆ´２が選択手段の入射スリット１０に正確に一致するように、言い換えると、波長λ２に対応するイメージフォーカス面（image focal plane）が、選択手段５の入射スリット１０の面と一致させるように、レンズ１９を動かすために、フォーカス手段４は制御手段１６を介して同期させる。詳細には、レンズ１９は光学軸２１に沿ってシフトする。図１においては、第２のフォーカス距離ｆ´２と第２のフォーカス位置Ｆ´２とは、入射スリット１０と一致する。これによって、フォーカスされた第２の放射線２３の最大エネルギーは選択手段５へ伝達される。
【００２７】
サンプル７の他の物理的性質を調査するために用いる他の波長λ１が必要となる場合には、プリズム又は回折格子１３は、λ１と等しい波長を持つ他の単色放射線を選択するように方向を合わせる。次いで、第１のフォーカス位置Ｆ´１が入射スリット１０に一致するまでずっとレンズ１９を入射スリット１０に近づけるようにシフトさせる。
【００２８】
従って、波長選択手段５の入射スリット１０に単色放射線２２、２３を正確にフォーカスすることができるフォーカス手段が設けられたスペクトロメータが提供される。さらに、入射スリット１０は、所望の波長と等しい波長を持つ放射線２２、２３が通過することができるように十分に狭いものとすることができる。異なる波長を持つ他の放射線は、入射スリットの前又は後ろでフォーカスされ、このようなスプリアスの放射線の非常にわずかな一部のみが選択手段を通過する。これにより、特に選択手段５の内部コンポーネントを保護することができる。
【図１】
2013171046.tif 000003
【外国語明細書】
2013171046000001.pdf